(57)【要約】      （修正有）【課題】錘によるアタリの支障をなくす釣り糸の先端部構造を提供する。【解決手段】釣り糸１に、釣り針４、疑似餌２、潮受け５及びストッパー６を取付け、潮受けとストッパーとの間に錘３を移動自在に取り付ける。この疑似餌付錘等を海面上に投げ込むと、錘等は海中に沈み海底に至る。このとき、フリーフォール等によって潮受け５が水圧を受けて錘３から釣り糸１を引き出して離れる。また、釣り糸１の巻き上げに伴い、疑似餌２等は、海底を移動しながら船側に引き寄せられ、海草や岩に触れて浮き上がる等の作用が生じると共に、岩等による潮の上昇流を潮受けが受けて、錘から釣り糸を引き出して離れたり、接近したりする。このように、潮受けによって疑似餌のスカートの自然な動き（アクション）が生まれ、このアクションによって、真鯛の食い付き（アタリ）が生じる。このとき、錘は移動自在のため、疑似餌の浮き上がり時にはその近くに錘はなく、アタリに錘が支障となることはない。【選択図】図４
0003192935.tif 000002
【実用新案登録請求の範囲】
【請求項１】
釣り糸（１）の長さ方向に釣り針（４）、疑似餌（２）及び錘（３）を順々に取り付けた前記釣り糸の先端部構造であって、前記疑似餌（２）に潮受け（５）を設け、その潮受け（５）から釣り竿（Ｂ）側に向かって所要長さ（Ｌ）離れた釣り糸（１）の位置にストッパー（６）を取り付け、前記潮受け（５）とストッパー（６）との間の釣り糸（１）にその長さ方向移動自在に前記錘（３）を設けたことを特徴とする釣り糸の先端部構造。
【請求項２】
上記潮受け（５）を錐状体とし、その錐状体の底面を上記釣り竿（Ｂ）側に向けたことを特徴とする請求項１に記載の釣り糸の先端部構造。
【請求項３】
上記ストッパー（６）を釣り糸（１）に対してその上を移動可能及び固定可能としたことを特徴とする請求項１又は２に記載の釣り糸の先端部構造。
【考案の詳細な説明】
【技術分野】
【０００１】
この考案は、釣り竿でもって魚釣りする際の、釣り針、疑似餌、錘等からなる釣り糸の先端部構造に関するものである。
【背景技術】
【０００２】
海、湖、川などで魚釣りする態様は、釣り竿の先端に釣り糸を垂らし、その釣り糸の先端に釣り針及び餌を取付け、その釣り針を水面に投げ込む。このとき、釣り針の近くの釣り糸に錘を取付け、その錘によって、釣り針等を所要の位置に投げ込むとともに釣り針及び餌を水中に入り込ませる。
【０００３】
このような釣り糸の先端部構造において、魚釣り上げ成果に、餌（釣り針）に対する錘の位置が関係する。例えば、錘が餌（釣り針）に近いと、錘の負荷により餌の可動範囲が制約され、その餌の動きが不自然となることにより、魚が餌に違和感や危険を感じて食い付き（アタリ）が悪くなる問題がある。一方、錘が餌から遠いと、釣り竿からの動き（アクション）は錘まで伝わるけれども、餌（釣り針）まで至らず、餌が動かないことによって、魚が餌に興味を示さず、食い付きが悪い等の問題が生じる。
【０００４】
このような実状から、錘の位置を調整できる考案がされている（特許文献１、２）。
また、浮きと錘のバランスを取るため、移動自在の補助おもりを設けた考案もある（特許文献３、図１）。
【０００５】
ところで、例えば、本願図３に示す、主に、真鯛釣りにおいては、釣り糸１の先端部に、１本又は複数の釣り針付の疑似餌２、錘３等からなる仕掛けを設け、船Ｓからその釣り糸１の先端部（餌２など）を所要の水面に投げ入れるとともに水中に垂らし（フォールし）、その釣り糸１の先端部を海底に至らせる。この状態で、釣り糸１を一定の速さで巻き取り（リーリングし）、そのリーリング中に、真鯛（魚）ｂが餌２に食い付けば（アタリがあれば）、釣り上げる（アワセを行う）。リーリング中にアタリがこなければ、前記のフォールとリーリングを繰り返す。
このようにして真鯛釣りは行われるが、同様に、アコウ、マゴチ、グチ、チヌ、カサゴ、メバル、ふぐ等を釣ることができる。
【０００６】
上記リーリングにおいて、海底から突出した海草ｃや岩ｄにおいては、その突起部（根）によって潮ａが湧き上がり（同図の破線矢印参照）、その潮流れに伴って餌２等も浮き上がる。この浮き上がりによって餌２が動き、この動きを魚ｂが見ることによって、魚ｂがその餌２に食い付くこととなる。すなわち、その潮の湧き上がり箇所でのアタリが多い。
【先行技術文献】
【特許文献】
【０００７】
【特許文献１】特開２０００−２１７４８４号公報
【特許文献２】特開２００７−２５２２６３号公報
【特許文献３】特開平９−１４０３０４号公報
【特許文献４】特開２００６−２０４２１６号公報
【特許文献５】登録実用新案第３０２４３４２号公報
【考案の概要】
【考案が解決しようとする課題】
【０００８】
上記の真鯛釣り等において、錘３は所要の位置に取り付けて固定するが、その位置は、投げ込み時、餌２がスムースに所要の水面及び海底に行くように設定しており、従来では、比較的、錘３は餌２に近い所に位置させている。
しかし、上記潮ａの湧き上がり時、錘３が餌２に近いと、潮ａの湧き上がり箇所にしてはアタリが少ないことを確認した。
【０００９】
この考案は、以上の実状の下、上記湧き上がり箇所のアタリを得やすくすることを課題とする。
【課題を解決するための手段】
【００１０】
上記課題を達成するため、この考案は、錘３の負荷により、餌（釣り針）の動きが制約されて不自然になると、魚は、危険を感じる等によって食欲を誘われない（食欲が無くなる）のではないかと考え、アタリの最も多い潮が湧き上がる時に錘を餌から離すようにしたのである。
このように、潮が湧き上がる時、錘を餌から離して、魚が餌を食おうとする時に、上記錘３の負荷により、餌（釣り針）の動きが不自然にならないようにすれば、餌は潮の湧きき上がりに伴う自然な動きを行い、魚は、そのアタリの最も多い潮の湧き上がる時に餌に食い付き易くなる。
【００１１】
この考案の具体的な構成としては、釣り糸の長さ方向に釣り針、疑似餌及び錘を順々に取り付けるとともに、その疑似餌に潮受けを設け、その潮受けから釣り竿側に向かって所要長さ離れた釣り糸の位置にストッパーを取り付け、前記潮受けとストッパーとの間の釣り糸にその長さ方向移動自在に前記錘を設けた構成を採用することができる。
【００１２】
このように構成した釣り糸を投げ込むと、水面（海面）上の所要位置に至った錘はその自重によって、疑似餌等と共に水中（海中）に沈み、やがて底（海底）に至る。このフォールの最中に潮受けが水圧を受けて錘から釣り糸を引き出して分離する。このため、フォール中及び海底への着底時、疑似餌の自然な動きが生まれる。
この状態から、釣り糸を巻き上げて魚の食い付きを得るようにする。このとき、釣り糸の巻き上げに伴い、疑似餌等は海底を移動しながら釣り人側に引き寄せられる。この引き寄せ時、疑似餌等が海草や岩に触れてそれらを超すことによって疑似餌等が浮き上がるとともに、潮もその岩等を乗り越えることによって湧き上がって上昇流が生じ、その上昇流を潮受けがさらに受けて、上記と同様に、錘から釣り糸を引き出して分離したり、接近したりする。このため、疑似餌の自然な動きが生まれる。
【００１３】  以上の作用によって、疑似餌の自然な動きが醸し出されて、魚が疑似餌に興味を示して食い付きが良くなる。このような潮受けによって潮を受け、それに伴って錘を移動させて、疑似餌の自然な動きが醸し出す構成は新規であり、出願人は、その構成を（公序良俗違反につき、不掲載）と呼ぶこととした。【００１４】
上記釣り針や疑似餌の種類は、釣り場の様々な自然環境や条件、及び釣る魚に考えられる活性や摂餌意欲等の釣る魚の種類に応じて適宜に選択する。
潮受けは、図３に示した潮ａの流れを受けてその流れに乗る形状であれば、平板、球等の何れでもよいが、円錐、角錐等の堆状のものが好ましい。この錐状の場合、その底面を釣り竿側に向けて、潮ａの流れに対向する（潮の水圧を円滑に受ける）ように設ける。
【００１５】
ストッパーは、錘の所要以上の動きを阻止するものであり、釣り糸に対して移動不能に固定することもできるが、釣り糸上を移動可能及び固定可能とすることが好ましい。そのストッパーの位置は、潮ａの浮き上がり時、魚ｂのアタリが良くなる疑似餌からの距離を実験などによって適宜に求めて設定する。ストッパーを釣り糸上を移動可能及び固定可能とすると、疑似餌からストッパーまでの釣り糸の所要長さを適宜に変更することができる。
ストッパーを釣り糸に移動不能に固定する場合、金属をカシメたものや、樹脂の溶着等が考え得る。一方、ストッパーを釣り糸上を移動可能及び固定可能とする場合は、そのストッパーを主に浮き止めとして用いられる編み糸素材によって形成したり、ゴム等の弾性材からなる筒体としたりすれば、その弾性収縮でもって錘の移動を阻止する程度の力で釣り糸に固定され、その弾性収縮力に抗して移動させることによって釣り糸の任意の位置に移動・固定させ得るものとし得る。
【考案の効果】
【００１６】
この考案は、以上のように構成して、潮が湧き上がる時、錘を餌から離して、魚が餌を食おうとする時にその錘を感じないようにしたので、魚は、アタリの最も多い潮の湧き上がる時に餌に食い付き易くなる。
【図面の簡単な説明】
【００１７】
【図１】この考案に係る釣り糸の先端部構造の一実施形態の斜視図であり、（ａ）は錘が疑似餌に近づいた態様、（ｂ）は錘が疑似餌から離れる態様
【図２】同実施形態の要部拡大断面図
【図３】同実施形態の作用説明図
【図４】同作用説明の拡大図
【考案を実施するための形態】
【００１８】
この考案に係る釣り糸の先端部構造の一実施形態を図１、図２に示し、この実施形態は、主に真鯛釣り用であって、図３に示す釣り竿（ロッド）Ｂからリールを介して繰り出される釣り糸１と、その釣り糸１の先端等に固定の釣り針４と、その釣り針４に設けた（一体の）疑似餌２と、その疑似餌２に設けた潮受け５と、その潮受け５から釣り竿Ｂ側に向かって所要長さＬ離れた釣り糸１の位置に固定のストッパー６と、前記潮受け５とストッパー６との間の釣り糸１に移動自在に設けた錘（ボディ）３とからなる。
【００１９】
疑似餌２は、真鯛釣り用であることから、太さの異なる複数の細いゴム片からなるスカート（ラバー）からなり、そのスカート２内に釣り針４が位置する。この疑似餌２は、ゴム輪や取付輪５ａ等によって釣り糸１に固定し、その後側（釣り竿Ｂ側）の釣り糸１に潮受け５が取り付けてある。この潮受け５は合成樹脂の成型品からなって円錐形をしており、その底面は椀状に抉られている。
この潮受け５の大きさは、上記潮ａの流れ（水圧）に応じて疑似餌２が浮き上がる程度を適宜に考慮して設定する、潮受け５は、図２に示すように、成型時に両端に取付輪５ａ、５ａを有する支持杆５ｂをインサートしており、その一方の取付輪５ａに疑似餌２及び釣り針４を、他方の取付輪５ａに釣り竿Ｂからの釣り糸１を括り付けて締結する。
【００２０】
錘３は、鉛等の金属の塊に樹脂コーティングし、その中央部に高輝度のホログラム加工３ａを施したものであり、その重さは、投げ込み時に所要の位置まで飛翔するように適宜に設定する。
【００２１】
上記ストッパー６は、主に浮き止めとして用いられる編み糸素材を釣り糸１に巻き付け締め込んで固定した態様のものであり（特許文献４、段落００１３、図２等参照）、その嵩を小さくできる利点がある。通常、疑似餌２でもって真鯛等を釣る竿Ｂには、その長さ方向一定間隔にその先端まで環状ガイドが設けられており（特許文献５、図３参照）、その先端側のガイドはとりわけ小口径となっているものが多い。一方、ストッパー６と錘３の距離を長く確保した場合、投げ込み時や釣った魚の取り込み時、そのストッパー６を釣り竿先端のガイドを超えて釣り糸１を巻き取らなければならない場合があり、その場合、ストッパー６がそのガイドを通り抜ける必要がある。このとき、前記のように、ストッパー６が小さいものであると、その通り抜けが容易に行われ得る。すなわち、その通り抜け動作にかかる物理的支障を大幅に軽減できる。
【００２２】
また、ストッパー６を、編み糸素材を釣り糸１に巻き付け締め込んで形成すると、その固定時の締め付け度合い（締め付け力）を加減することにより、ストッパー６の保持力（釣り糸１への固着力）を調整することが可能である。このため、錘３の大きさや重さによってその保持力を調整することができ、例えば、保持力を強くすることによって錘３の移動を確実に阻止し得るようにしたり、錘３とストッパー６との上記距離Ｌを頻繁に変更したい場合には、その保持力を緩く設定し、その変更を容易に行うようにしたり等と、状況に応じた保持力の調整を行うことができる。このように、ストッパー６を釣り糸１上で動かし得ると、潮受け５とストッパー６との間の釣り糸１の長さＬ、すなわち、錘３の移動距離Ｌが任意に設定し得る。
【００２３】
錘３とストッパー６との間の釣り糸１には樹脂製球状部材（樹脂パーツ）７が移動自在に設けられている。この樹脂パーツ７は、錘３の釣り糸１の通過孔より大径に設定されているとともに自身の釣り糸１の通過孔は釣り糸１が円滑に通れる程度の小口径とされて編み糸素材からなる小さなストッパー６が通り抜けないようになっている。このため、この  樹脂パーツ７がストッパー６に至って錘３とストッパー６の間に介在することによって、錘３の移動がストッパー６によって確実に阻止される。また、この樹脂パーツ７は、釣り糸１上を移動自在で、釣り竿先端のガイドの口径より基本的に大径となっているため、そのガイドを通り抜けることもない（巻き込まれることもない）。
このようなストッパー６及び樹脂パーツ７によって、錘３の所要長さＬの円滑な移動が担保されるとともに、投げ込み時や釣った魚の取り込み時の釣り糸１の円滑な動きを担保している。
なお、樹脂パーツ７は、錘３とストッパー６との緩衝材の役目を果たすため、錘３と潮受け５との間等の釣り糸１上にも設けることもできる。
【００２４】
この考案に係る実施形態の釣り糸の先端部構造は以上の通りであり、今、図３に示すように、その先端部構造の釣り糸１を、船Ｓから、従来と同様に、所要な場所に、疑似餌２を投げ込む。このとき、図１（ａ）に示すように、錘３は潮受け５に当たる位置まで移動するため、その重さによって、疑似餌２等は円滑に所要位置に投げ込むことができる。
【００２５】
その投げ込みによって、海面上の所要位置に至った錘３はその自重によって、疑似餌２等と共には水中（海中）に沈み、やがて底（海底）に至る。このとき、フリーフォールであっても、スパイラルフォールやカーブフォールの状態になることあり、また、意識的にそのスパイラルフォールやカーブフォールを行うことができる。
これらのフォール時、潮受け５が水圧を受けて錘３から釣り糸１を引き出して分離する（図１（ｂ）参照）。このため、このフォール中及び海底への着底時、疑似餌２のスカート（ラバー）の自然な動き（アクション）が生まれる（図４参照）。
【００２６】
この状態から、釣り糸１の巻き上げ（リーリング）によって、さらに真鯛ｂの食い付き（アタリ）を得るようにする。このとき、釣り糸１の巻き上げに伴い、図３の実線から鎖線に示すように、疑似餌２等は海底を移動しながら船Ｓ側に引き寄せられる。この引き寄せ時（疑似餌２が２１→２２→２３→２４（実線状態）又は２１→２２（鎖線状態）への移動時）、疑似餌２等が海草ｃや岩ｄに触れてそれらを超すことによって浮き上がるとともに、潮ａもその岩ｄ等を乗り越えることによって湧き上がって上昇流が生じ、その上昇流（水圧）を潮受け５が受けて、上記と同様に、錘３から釣り糸１を引き出して分離したり、接近したりする。特に、同図鎖線で示すように、釣り糸１に弛みが生じた場合、その潮受け５の接離作用は顕著に現れる。このため、リーリング中においても、潮ａの湧き上がりによる潮受け５の作用によって疑似餌２のスカート（ラバー）の自然な動き（アクション）が生まれる。
【００２７】
このように、フォール時、着底時、及びリーリング時、潮受け５が潮ａの流れ（水圧）を受けることによって、疑似餌２等のアクションがスムースに（自然に）行われ、その疑似餌２のアクション動作を真鯛ｂが注目して食い付き、アタリが有効に生じる。このとき、錘３はストッパー６と潮受け５との間の釣り糸１上を移動自在であるため、図４に示すように、潮受け５の浮き上がりに伴い、錘３は釣り糸１上を移動し（滑って）ストッパー６に当たるまで移動する。このため、疑似餌２の浮き上がり時にはその近くに錘３はなく、真鯛ｂの食い付き（アタリ）に錘３が支障となることはない。
【００２８】
上記実施形態は、真鯛釣りの場合であったが、この考案は、他の種々の魚の釣り糸先端部構造として採用することができる。その際、その魚の種類に応じて疑似餌２や釣り針４、さらに錘３も適宜な形状等に変更することは勿論である。また、ストッパー６も、上記編み糸状素材に限らず、ゴム等の弾性体からなる筒体としたり、硬質樹脂成型品としたり、金属等としたりすることができ、ストッパー６は移動が不能でも良い。この場合、潮受け５とストッパー６との釣り糸１の長さＬは一定となる（可変できない）。
また、潮受け５と疑似餌２を一体ものとすることもできる。例えば、潮受け５の円錐状頭に疑似餌２のスカートを連続成形や接着等によって一体物とする。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００２９】
ａ  潮
ｂ  魚（真鯛）
ｃ  海草
ｄ  岩
Ｂ  釣り竿（ロッド）
Ｓ  釣り船
Ｌ  潮受け２からストッパー６までの釣り糸長さ
１  釣り糸
２  疑似餌
３  錘
４  釣り針
５  潮受け
６  ストッパー
【図１】
0003192935.tif 000003
【図２】
0003192935.tif 000004
【図３】
0003192935.tif 000005
【図４】
0003192935.tif 000006
【手続補正書】
【提出日】平成26年7月14日(2014.7.14)
【手続補正１】
【補正対象書類名】明細書
【補正対象項目名】００１３
【補正方法】変更
【補正の内容】
【００１３】
以上の作用によって、疑似餌の自然な動きが醸し出されて、魚が疑似餌に興味を示して食い付きが良くなる。このような潮受けによって潮を受け、それに伴って錘を移動させて、疑似餌の自然な動きが醸し出す構成は新規である。